(57)【要約】【課題】柱に取り付けられる扉に対して、所望の位置に梁を設けることが可能な扉ユニットを提供する。【解決手段】下端部が埋設されて互いに間隔を空けて立設される２本の柱と、前記２本の柱間に掛け渡され、前記柱への固定位置を上下方向に調整可能な可動梁と、前記梁の下方に設けられ、前記柱に回動自在に支持される扉と、を有する。【選択図】図７
2018119369.tif 000002
【特許請求の範囲】
【請求項１】
下端部が埋設されて互いに間隔を空けて立設される２本の柱と、
前記２本の柱間に掛け渡され、前記柱への固定位置を上下方向に調整可能な可動梁と、
前記可動梁の下方に設けられ、前記柱に回動自在に支持される扉と、
を有することを特徴とする扉ユニット。
【請求項２】
請求項１に記載の扉ユニットであって、
前記２本の柱間に掛け渡され、前記可動梁と見込み方向における位置を異ならせて前記２本の柱に固定される固定梁を有していることを特徴とする扉ユニット。
【請求項３】
請求項２に記載の扉ユニットであって、
前記可動梁は、前記固定梁の少なくとも一部と見込み方向に重なる範囲内で移動可能であることを特徴とする扉ユニット。
【請求項４】
請求項２または請求項３に記載の扉ユニットであって、
前記可動梁は、調整された位置で前記固定梁に固定されていることを特徴とする扉ユニット。
【請求項５】
請求項１乃至請求項４のいずれかに記載の扉ユニットであって、
前記扉は、上方に突出した状態を維持又は解除可能な可動突出部材を備え、
前記可動梁は、前記可動突出部材と係合する受け部を備えていることを特徴とする扉ユニット。
【請求項６】
請求項１乃至請求項５のいずれかに記載の扉ユニットであって、
前記柱は、長手方向に沿って溝を有し、
前記溝の開放された縁部は、当該溝の幅方向内側にそれぞれ張り出す張出片を有し、
前記可動梁は、当該可動梁の端部に固定される端部金具と、前記溝内に設けられる裏板とに螺合されているビスが緩められた状態で、前記溝に沿って移動可能であり、前記ビスを締めることにより前記端部金具と前記裏板とが前記張出片を挟持することにより固定されることを特徴とする扉ユニット。
【発明の詳細な説明】
【技術分野】
【０００１】
本発明は、柱に回動自在に設けられた扉を有する扉ユニットに関する。
【背景技術】
【０００２】
扉ユニットとしては、たとえば、門扉が各々取り付けられる２本の柱部の上端部に、アーチ部が掛け渡されているアーチ門が知られている（例えば、特許文献１参照）。このアーチ門の柱は、下端が埋設されて地上に立設されている。
【先行技術文献】
【特許文献】
【０００３】
【特許文献１】実用新案登録第２５０２０５７号公報
【発明の概要】
【発明が解決しようとする課題】
【０００４】
上述したアーチ門の柱部は、下端が埋設されて地上に立設されるので、地上に突出する柱部の高さが、各施工現場により相違する場合がある。そして、予めアーチ部などの梁が取り付けられた状態で立設された柱部に、地面と所定の間隔を空けて門扉を取り付けると、地面と梁との間隔が、扉の高さより狭くて、扉が取り付かない、或いは、柱に取り付けられた扉の上端と梁との間隔が大きく開いてしまう虞がある。このため、柱に取り付けられた扉と梁との間を、所望の間隔に合わせて施工することが難しいという課題がある。
【０００５】
本発明は、かかる課題に鑑みてなされたものであり、その目的とするところは、柱に取り付けられる扉に対して、所望の位置に梁を設けることが可能な扉ユニットを提供することにある。
【課題を解決するための手段】
【０００６】
かかる目的を達成するために本発明の扉ユニットは、下端部が埋設されて互いに間隔を空けて立設される２本の柱と、前記２本の柱間に掛け渡され、前記柱への固定位置を上下方向に調整可能な可動梁と、前記可動梁の下方に設けられ、前記柱に回動自在に支持される扉と、を有することを特徴とする扉ユニットである。
【０００７】
このような扉ユニットによれば、柱に回動自在に支持される扉の上方に設けられる可動梁は、柱への固定位置が上下方向に調整可能なので、扉の上端と可動梁との間隔が所望の間隔となる位置に可動梁を移動させて固定することが可能である。このため、柱に取り付けられる扉に対して、所望の位置に梁を設けることが可能な扉ユニットを提供することが可能である。
【０００８】
かかる扉ユニットであって、前記２本の柱間に掛け渡され、前記可動梁と見込み方向における位置を異ならせて前記２本の柱に固定される固定梁を有していることが望ましい。
このような扉ユニットによれば、２本の柱間に掛け渡されて当該２本の柱に固定される固定梁を有しているので、固定梁により連結した状態で２本の柱を立設できる。このため、施工性に優れた扉ユニットを提供することが可能である。また、固定梁は、可動梁と見込み方向における位置が異なるので、可動梁の移動が固定梁により妨げられることはない。このため、可動梁の調整代をより大きく確保することが可能である。
【０００９】
かかる扉ユニットであって、前記可動梁は、前記固定梁の少なくとも一部と見込み方向に重なる範囲内で移動可能であることが望ましい。
このような扉ユニットによれば、可動梁と固定梁の一部と見込み方向において重なり、両者の間には上下方向に間隔が空くことはないので、見栄えが良い。このため、意匠性に優れた扉ユニットを提供することが可能である。
【００１０】
かかる扉ユニットであって、前記可動梁は、調整された位置で前記固定梁に固定されていることが望ましい。
このような扉ユニットによれば、調整された可動梁は、両端が柱に固定されているのみならず、固定梁にも固定されるので、可動梁の撓みを防止し、扉との間隔をより確実に保つことが可能である。
【００１１】
かかる扉ユニットであって、前記扉は、上方に突出した状態を維持又は解除可能な可動突出部材を備え、前記可動梁は、前記可動突出部材が挿入される受け部を備えていることが望ましい。
【００１２】
このような扉ユニットによれば、可動梁を扉との間隔が適切になるように調整して固定した可動梁の受け部に、扉に設けられた可動突出部材を上方に突出させて挿入することが可能なので、扉に設けられた可動突出部材をより確実に可動梁の受け部に挿入させ、挿入された状態を維持することが可能である。このため、より確実に扉の閉止状態を保つことが可能である。
【００１３】
かかる扉ユニットであって、前記柱は、長手方向に沿って溝を有し、前記溝の開放された縁部は、当該溝の幅方向内側にそれぞれ張り出す張出片を有し、前記可動梁は、当該可動梁の端部に固定される端部金具と、前記溝内に設けられる裏板とに螺合されているビスが緩められた状態で、前記溝に沿って移動可能であり、前記ビスを締めることにより前記端部金具と前記裏板とが前記張出片を挟持することにより固定されることが望ましい。
【００１４】
このような扉ユニットによれば、可動梁の端部に固定される端部金具と、溝内に設けられる裏板とに螺合されているビスを緩めることにより、可動梁を柱の長手方向、すなわち上下方向に移動可能であり、当該ビスを締めることにより可動梁を所望の位置に固定することが可能である。このため、可動梁を容易に位置調整し、所望の位置に固定可能な扉ユニットを提供することが可能である。
【発明の効果】
【００１５】
本発明によれば、柱に取り付けられる扉に対して、所望の位置に梁を設けることが可能な扉ユニットを提供することが可能である。
【図面の簡単な説明】
【００１６】
【図１】本実施形態に係る扉ユニットを門内側から見た正面図である。
【図２】本発明に係る扉ユニットの扉を除く構成を示す分解斜視図である。
【図３】柱に固定された固定梁及び可動梁を示す斜視図である。
【図４】固定梁及び可動梁が柱に固定されている状態を示す平面図である。
【図５】固定梁の固定方法を示す斜視図である。
【図６】可動梁の構成を示す斜視図である。
【図７】柱に固定された固定梁及び可動梁と可動梁の移動範囲を示す縦断面図である。
【図８】扉の上部に設けられた上可動突出部材を示す図である。
【図９】扉の下部に設けられた下可動突出部材を示す図である。
【図１０】隙間塞ぎ材が設けられている状態を示す斜視図である。
【発明を実施するための形態】
【００１７】
以下、本発明の一実施形態に係る扉ユニットについて図面を参照して説明する。
本実施形態では、扉ユニット１として、図１に示すように、下端が埋設されて地上に立設された柱２にヒンジ（不図示）を介して開閉自在に支持され、扉として門扉３を備えた扉ユニット１を例に挙げて説明する。
【００１８】
以下の説明においては、例えば、家屋が建てられている敷地の境界に設けられている扉ユニット１を、家屋側（以下、門内側という）から見たときに、上下となる方向を上下方向、閉じた門扉の幅となる方向を左右方向、門の内外方向を見込み方向として示す。また、扉ユニット１を構成する各部材及び各部位については、単体の状態であっても扉ユニット１が設けられている状態で上下方向、左右方向、見込み方向等となる方向にて方向を特定して説明する。
【００１９】
図１〜図４に示すように、扉ユニット１は、左右方向に互いに間隔を空けて立設された２本の柱２と、２本の柱２の上端部に掛け渡され固定金具４を介して柱２に固定される固定梁５と、２本の柱２に掛け渡され、柱２への固定位置を上下方向に調整可能な可動梁６と、２本の柱２に各々回動自在に支持されている門扉３と、を有している。
【００２０】
柱２は、水平断面が矩形状をなし上下方向に連通する中空の部材であり、上端の小口はキャップ７により塞がれている。柱２の門内側の面を形成する門内壁部２ａには、上下方向に沿って、門外側に窪み門内側が開放された溝２ｂが設けられている。門内壁部２ａにおいて、溝２ｂの開放された縁部には、溝２ｂの幅方向内側にそれぞれ張り出す張出片２ｃが設けられている。すなわち、柱２の門内壁部２ａには、上下方向に沿って、溝２ｂの奥側より幅が狭いスリット２ｄが設けられている。また、柱２の上部側には、張出片２ｃが一部設けられておらず、スリット２ｄの幅が広い拡幅部２ｅが設けられており、拡幅部２ｅからは、後述するストッパー８が挿入される。ストッパー８については後述する。
【００２１】
図５に示すように、固定金具４は、２本の柱２が互いに対向する内側面２ｆと対面する状態でボルト止めされる板状の内側面固定部４ａと、内側面固定部４ａの上端部から互いに他方の柱２側に向かって延出されて水平面を形成する板状の水平板部４ｂとを有するＬ字状の部材である。固定金具４は、各々の柱２の内側面２ｆに内側面固定部４ａが固定されると、互いに対向する側に水平板部４ｂが突出する。
【００２２】
固定梁５は、縦断面が矩形状をなし、左右方向に連通する中空の部材である。固定梁５の見込み方向の幅Ｌ１は、柱２の見込み方向の幅Ｌ２の半分より狭く形成されており、２本の柱２の互いに対向する内側面２ｆの門外側に寄せて固定されている。より具体的には、固定梁５は、２本の柱２にそれぞれ固定された固定金具４の水平板部４ｂが、固定梁５の両端の小口からそれぞれ挿入され、水平板部４ｂの上面に、固定梁５の上面を形成する上面形成部５ａが載置され、水平板部４ｂと上面形成部５ａとがビス９により固定されることにより、柱２に固定される。このとき、固定梁５は、各柱２の互いに対向する内側面２ｆの門外側に配置され、柱２の門外側の面と固定梁５の門外側の面とが、ほぼ面一をなすように固定される。
【００２３】
図６、図７に示すように、可動梁６は、縦断面が矩形状をなし中空部６０ａを有する可動梁本体６０と、可動梁本体６０を固定梁５に固定するビス１１を隠すためのカバー６２と、可動梁本体６０の左右方向における両端部に固定され可動梁６を柱２に固定するための端部金具６３と、を有している。
【００２４】
可動梁本体６０は、中空部６０ａの上に位置する上面部６１ａと、下に位置する下面部６１ｂと、門外側に位置する外面部６１ｃと、門内側に位置する内面部６１ｄとで形成される矩形状部６１と、上面部６１ａ及び下面部６１ｂが門内側に延出された上面延出部６０ｂ及び下面延出部６０ｃを有している。矩形状部６１の四隅近傍には、それぞれ、端部金具６３を固定する為のビス１０が螺合されるビス螺合部６１ｅが設けられている。また、外面部６１ｃには、可動梁６の上下方向の位置を調整した後に、固定梁５に固定するビス１１のねじ部が貫通されるビス孔（不図示）が設けられており、内面部６１ｄには、ビス１１を中空部６０ａ内に挿入するための挿入孔（不図示）が設けられている。
【００２５】
カバー６２は、可動梁６の内面部６１ｄに設けられた挿入孔及びビス１１を隠すために上面延出部６０ｂ及び下面延出部６０ｃとの間を門内側にて覆うカバー壁部６２ａと、カバー壁部６２ａの上下端部から門外側に向かって延出されたカバー延出部６２ｂと、を有している。カバー延出部６２ｂの先端には、フック部６２ｃが設けられており、カバー延出部６２ｂが、可動梁本体６０の上面延出部６０ｂと下面延出部６０ｃとの間に挿入されたときに、フック部６２ｃが、上面延出部６０ｂ及び下面延出部６０ｃに設けられた係止部６０ｄに係止されることにより、カバー６２が可動梁本体６０に係止される。
【００２６】
端部金具６３は、可動梁本体６０の小口に当接されてビス止めされる板状の小口当接部６３ａと、小口当接部６３ａの門内側の縁から、可動梁本体６０と反対側に延出されて鉛直面を形成する板状の鉛直板部６３ｂとを有するＬ字状の部材である。Ｌ字状をなす端部金具６３の角部には、装着されたカバー６２を外す際に、ドライバーなどの工具の先端が挿入される挿入開口部６３ｃが設けられている。
【００２７】
可動梁６は、可動梁本体６０に端部金具６３が固定された状態で、柱２に固定されている固定梁５の門内側に配置され、端部金具６３を介して柱２に固定されて取り付けられる。より具体的には、柱２の門内壁部２ａには、上述したように、柱２の長手方向に沿って溝２ｂが形成されており、溝２ｂの開放された縁部には、溝２ｂの幅方向内側にそれぞれ張り出す張出片２ｃが設けられ、溝２ｂの両側から張り出した張出片２ｃの間がスリット２ｄをなしている。端部金具６３が固定された可動梁本体６０は、端部金具６３の鉛直板部６３ｂが柱２の門内壁部２ａに当接され、柱２の門内壁部２ａに形成されている溝２ｂ内に設けられる裏板１２に、鉛直板部６３ｂ及びスリット２ｄを貫通するビス１３が螺合され、裏板１２と鉛直板部６３ｂとにより柱２の張出片２ｃを挟持することにより柱２に固定される。
【００２８】
このため、ビス１３を緩めることにより、裏板１２と鉛直板部６３ｂとにより張出片２ｃを挟持する力が弱まり、可動梁６が固定梁５よりも門内側にて上下方向に移動可能となる。本実施形態においては、可動梁６は、上面部６１ａが固定梁５と同じ高さになる位置から、可動梁６の上部が、固定梁５の一部となる下部と見込み方向に重なり、可動梁６と固定梁５とが見込み方向に進入するビス１１にて固定可能な位置までの範囲で移動可能に構成されている。
【００２９】
柱２には、スリット２ｄの拡幅部２ｅから挿入されて溝２ｂを埋めるように溝２ｂ内に固定されるストッパー８がビス止めされている。このストッパー８は、可動梁６の上下方向の固定位置を調整するためにビス１３を緩めた際に、可動梁６の地面への落下を防止するために設けられている。
【００３０】
門扉３は、２本の柱２に各々ヒンジ（不図示）を介して、回動自在に取り付けられており、戸先側の上部には、操作により門扉３から上方向に突出可能に設けられるとともに上方に突出した状態を維持及び維持状態を解除して門扉３内に没することが可能な上可動突出部材３ａが設けられ、戸先側の下部には、操作により門扉３から下方向に突出可能に設けられるとともに下方に突出した状態を維持及び維持状態を解除して門扉３内に没することが可能な下可動突出部材３ｂが設けられている。図８に示すように、上可動突出部材３ａは、上方に突出したときに、可動梁６に設けられ上方に窪む上受け部６ａに挿入され、図９に示すように、下可動突出部材３ｂは、下方に突出したときに、地面に設けられ下方に窪む下受け部１４に挿入されることにより施錠される。
なお、上受け部６ａは、必ずしも上方に窪む必要はなく、可動梁本体６０の下面部６１ｂに形成した孔等、上可動突出部材３ａと係合可能であれば構わない。また、下受け部１４は、必ずしも下方に窪む必要はなく、地面から突出した部位、或いは、突出した部位に設けられて下可動突出部材３ｂを収受する受け部等であっても構わない。
【００３１】
扉ユニット１は、例えば、左右の柱２に固定梁５が固定され、端部金具６３が固定された可動梁本体６０が最も高い位置に仮固定されている状態で、柱２の下端部が埋設されて地上に立設される。
次に、立設された各々の柱２に、門扉３の下端と地面とを適宜間隔を空けて門扉３を取り付ける。
【００３２】
次に、端部金具６３が固定された可動梁本体６０を仮固定しているビス１３を緩め、取り付けられた門扉３との間に所望の間隔が空くように、端部金具６３が固定された可動梁本体６０の位置を調整してビス１３を締め込み、端部金具６３が固定された可動梁本体６０を柱２に固定する。このとき、端部金具６３が固定された可動梁本体６０と固定梁５の一部とが見込み方向において重なるように、可動梁本体６０が固定されている端部金具６３を柱２に固定する。
【００３３】
次に、固定された可動梁本体６０の内面部６１ｄの挿入孔から挿入したビス１１を、外面部６１ｃに設けられたビス孔を貫通させて固定梁５に螺合する。これにより、可動梁６は、固定梁５にも固定される。
次に、可動梁本体６０にカバー６２を装着して扉ユニット１の施工が完了する。
【００３４】
本実施形態の扉ユニット１によれば、柱２に回動自在に支持される門扉３の上方に設けられる可動梁６は、柱２への固定位置が上下方向に調整可能なので、柱２において門扉３の上端と可動梁６との間隔が所望の間隔となる位置に可動梁６を固定することが可能である。このため、柱２に取り付けられる門扉３に対して、所望の位置に梁を設けることが可能な扉ユニット１を提供することが可能である。
【００３５】
また、２本の柱２間に掛け渡されて当該２本の柱２に固定される固定梁５を有しているので、固定梁５により連結した状態で２本の柱２を立設できるため、施工性に優れている。また、固定梁５は、可動梁６と見込み方向における位置が異なるので、可動梁６の移動が固定梁５により妨げられることはない。このため、可動梁６の調整代をより大きく確保することが可能である。
【００３６】
また、可動梁６と固定梁５の一部と見込み方向において重なり、両者の間には上下方向に間隔が空かないように配置すると、見栄えが良い。このため、意匠性に優れた扉ユニット１を設置することが可能である。なお、図１０に示すように、柱２及び固定梁５と門扉３との隙間を塞ぐための隙間塞ぎ部材１５を各柱２の内側面２ｆ及び固定梁５の下面に設けることにより、意匠性により優れた扉ユニット１を提供することが可能である。
【００３７】
また、調整された可動梁６は、両端が柱２に固定されているのみならず、固定梁５にも固定されるので、可動梁６の撓みを防止し、門扉３との間隔をより確実に適切に保つことが可能である。
【００３８】
また、可動梁６の端部に固定される端部金具６３の鉛直板部６３ｂと、溝２ｂ内に設けられる裏板１２とに螺合されているビス１３を緩めることにより、可動梁６を柱２の長手方向、すなわち上下方向に移動可能であり、当該ビス１３を締めることにより可動梁６を所望の位置に固定することが可能である。このため、可動梁６を容易に位置調整し、所望の位置に固定可能な扉ユニット１を提供することが可能である。
【００３９】
また、本実施形態の扉ユニット１は、可動梁６を門扉３との間隔が適切になるように調整して固定することが可能なので、門扉３に設けられた上可動突出部材３ａを上方に突出させて、より確実に可動梁６に設けられた上受け部６ａに挿入させて維持することが可能である。このため、より確実に門扉３の閉止状態を保つことが可能である。
【００４０】
また、本実施形態の扉ユニット１は、可動梁６を固定する為の裏板１２が設けられる溝２ｂの、開口をなすスリット２ｄの一部が拡幅されている拡幅部２ｅにストッパー８が挿入されているが、ストッパー８を外すことにより柱２が立設されている状態であっても溝２ｂに裏板１２を挿入することが可能である。このため、可動梁６が予め設けられていない扉ユニットであっても、可動梁６を設けること、或いは、損傷等が生じた可動梁６を容易に交換することが可能である。このとき、柱２の上端の小口に設けられたキャップ７を外す必要がないので、より容易に可動梁６を設けること、或いは、交換することが可能である。
【００４１】
上記実施形態においては、門扉３に上可動突出部材３ａ及び下可動突出部材３ｂが設けられている例について説明したが、施錠する機構は、これに限るものではない。
【００４２】
上記実施形態においては、左右の柱２に固定梁５が固定され、端部金具６３が固定された可動梁本体６０が仮固定されている状態で、柱２を地上に立設する例について説明したが、２本の柱を立設した後に、固定梁５を固定し、端部金具６３が固定された可動梁本体６０を仮固定しても構わない。
【００４３】
上記実施形態においては、柱２の門内壁部２ａに、柱２の長手方向に沿って溝２ｂが１本設けられている例について説明したが、これに限るものではない。例えば、柱２の門内壁部２ａに、柱の幅方向における中央から振り分けて２本の溝が形成されている柱を用いることにより、柱の左右方向における両側に可動梁を設けることが可能である。このため、左右方向に複数の門扉が連なるような門扉ユニットも実現可能である。
上記実施形態においては、扉として門扉３を例に上げて説明したが、これに限るものではない。
【００４４】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１  扉ユニット、２  柱、２ａ  門内壁部、２ｂ  溝、２ｃ  張出片、３  門扉、
３ａ  上可動突出部材、５  固定梁、６  可動梁、６ａ  上受け部、１２  裏板、
１３  ビス、６３  端部金具、
【図１】
2018119369.tif 000003
【図２】
2018119369.tif 000004
【図３】
2018119369.tif 000005
【図４】
2018119369.tif 000006
【図５】
2018119369.tif 000007
【図６】
2018119369.tif 000008
【図７】
2018119369.tif 000009
【図８】
2018119369.tif 000010
【図９】
2018119369.tif 000011
【図１０】
2018119369.tif 000012